(57)【要約】  【課題】足場の悪い高所や地下で建築作業や土木作業などを行う作業員に、作業中定期的に安全を喚起して事故や災害を防止する携帯式注意喚起装置を提供する。  【解決手段】ベルト等に装着可能な装着手段を備えたケーシングの内部に音声発生装置を具備して成る携帯式注意喚起装置であり、音声発生装置は、動作の開始と終了を指示する入力手段と、設定時間を感知すると時間信号を発生するタイマー装置と、前記時間信号が入力されると、プログラムされたコード信号を送信する制御手段と、送信されたコード信号に基づいて安全を喚起させる音声データの合成を行う音声合成手段と、前記音声データを発音させる発音手段とで構成されている。【選択図】  図１
0003109913.tif 000002
【実用新案登録請求の範囲】
【請求項１】
ベルト等に装着可能な装着手段を備えたケーシングの内部に音声発生装置を具備して成る携帯式注意喚起装置であって、
前記音声発生装置は、動作の開始と終了を指示する入力手段と、設定時間を感知すると時間信号を発生するタイマー装置と、前記時間信号が入力されると、プログラムされたコード信号を送信する制御手段と、送信されたコード信号に基づいて安全を喚起させる音声データの合成を行う音声合成手段と、前記音声データを発音させる発音手段とで構成されていることを特徴とする、携帯式注意喚起装置。
【考案の詳細な説明】
【技術分野】
【０００１】
この考案は、足場の悪い高所や地下で建築作業や土木作業などを行う作業員に、作業中定期的に安全を喚起して事故や災害を防止する携帯式注意喚起装置に関する。
【背景技術】
【０００２】
従来から、例えば建築作業や土木作業において、重量のある資材が頻繁に出入りしたり、高所や地下の作業など危険の高い場所で危険の伴う作業が行われている。そのため、作業監督が朝礼等々で作業員の安全性に対する意識を喚起する目的で、注意事項の確認や安全策についての話し合いを義務付けている。しかし、現状では正確で迅速な作業を遂行することに神経が集中したり、気が急いだ状態にあると、ふとした瞬間に確認ミス等の安全を怠った行為をしてしまい事故や災害につながるケースが多発している。
【０００３】
ところで、交通安全を喚起する技術として、例えば特許文献１には、音声発生装置と自動車のドアの開塞を検知する感知手段とを内蔵したひも付きの交通安全用お守りが開示されており、自動車のドアの開塞の際に生じる音により交通安全標語を発音させる構成とされている。
【０００４】
また、宅配業務を行う者へ勤務中常に安全を喚起させる技術として、特許文献２には、カード状あるいは腕時計状等の薄型ハウジングで成る装置本体で、制御手段が所定のプログラムに従って注意事項とＢＧＭ等の安全データを記憶手段から読み出し、発音手段により繰り返し発音させ続ける。交通事故にあって動けなくなったり、体調に異常をきたした場合には、救急発令手段が作動し救援メッセージを発音させると共にアンテナ手段により基地局等に送信させる機能を有した携帯用安全確認装置が開示されている。
【特許文献１】実開平５−２８２７５号公報
【特許文献２】特開平８−７１８４号公報
【考案の開示】
【考案が解決しようとする課題】
【０００５】
しかし、上記特許文献１の音声発生装置を内蔵した交通安全用お守りは、基本的に交通安全を対象としたひも付きお守りであり、危険を伴う建築又は土木作業で注意を喚起するものではない。また、仮にひもにより作業服に吊り下げて作業すると非常に邪魔な存在となる。更に、上記感知手段はドアの開塞の際に生じる音とそれに似た音とを区別することは難しく誤動作が生じる虞がある。
【０００６】
特許文献２の携帯用安全確認装置は、注意事項やＢＧＭ等の安全データを繰り返し発音し続けるので、安全性の喚起を大いに期待できる。また、交通事故や体調に異常をきたした場合、直ちに救援策をこうじるシステムである点も注目できる。しかし、このような機能に係るプログラムの設計や全システムを構築するには多大な手間と時間とコストを要する。高価な薄型ハウジングを使用した携帯用安全確認装置を宅配者一人一人に提供する必要があるため、コストが嵩みメンテナンスも定期的に頼まなければならない。
【０００７】
本考案の目的は、ベルト等に装着可能な装着手段を具備した構成で、建築又は土木作業においても携行可能な携帯式注意喚起装置を提供することである。
【０００８】
本考案の次の目的は、コストが大幅に低減し、誤作動が少なくメンテナンスが容易な携帯式注意喚起装置を提供することにある。
【課題を解決するための手段】
【０００９】
上述した従来技術の課題を解決するための手段として、請求項１に記載した考案に係る携帯式注意喚起装置は、
ベルト等に装着可能な装着手段を備えたケーシングの内部に音声発生装置を具備して成る携帯式注意喚起装置であって、
前記音声発生装置は、動作の開始と終了を指示する入力手段と、設定時間を感知すると時間信号を発生するタイマー装置と、前記時間信号が入力されると、プログラムされたコード信号を送信する制御手段と、送信されたコード信号に基づいて安全を喚起させる音声データの合成を行う音声合成手段と、前記音声データを発音させる発音手段とで構成されていることを特徴とする。
【考案の効果】
【００１０】
本考案に係る携帯式注意喚起装置は、建築又は土木作業を行う作業者に対して、一定時間毎に常に注意を喚起する音声を繰り返し聞かせるので、安全意識を周期的に喚起させて事故や災害を積極的に防止することが出来る。
【００１１】
また、本考案の携帯式注意喚起装置は、ベルト等に装着して携行するので作業の邪魔になることなく使用できる。更に、安価な材料で且つ簡易な装置であるため、誤作動が少なく個人レベルでメンテナンスすることができるし、コストを大幅に低減できるので、大人数を要する現場においても積極的に実施することができる。
【考案を実施するための最良の形態】
【００１２】
ベルト等に装着可能な装着手段を備えたケーシングの内部に音声発生装置を具備して成る携帯式注意喚起装置である。
音声発生装置３は、動作の開始と終了を指示する入力手段３１と、設定時間を感知すると時間信号を発生するタイマー装置３２と、前記時間信号が入力されると、プログラムされたコード信号を送信する制御手段３４と、送信されたコード信号に基づいて安全を喚起させる音声データの合成を行う音声合成手段３５と、前記音声データを発音させる発音手段とで構成される。
【実施例１】
【００１３】
以下、本考案の好適な実施例を図面に基づいて説明する。
本考案に係る携帯式注意喚起装置１は、作業員のベルトに装着することにより携帯させて使用されるもので、図１Ａ、図１Ｂに示すように携帯式注意喚起装置１の底面にベルトを通すためのコ字形状の装着手段２、２が設けられている。また、前記装着手段２を備えたケーシング（携帯式注意喚起装置１）の内部には音声発生装置３が具備されている。
【００１４】
この実施例における携帯式注意喚起装置１は、プラスチック製のもので、その外装には電源のオン・オフ入力をさせるスイッチ部４、スピーカからの出力を携帯式注意喚起装置１の外へ出力可能にする音声孔５と、ＬＥＤの点灯を表示させる透明で十字形状としたＬＥＤ表示部６とを備えている。
【００１５】
携帯式注意喚起装置１に内蔵される前記音声発生装置３は、図２に示すように、動作の開始（ＯＮ）と終了（ＯＦＦ）を指示する入力手段３１と、設定時間を感知すると時間信号を発生するタイマー装置３２と、前記時間信号が入力されるとプログラムにしたがってコード信号を送信する制御手段３４（又は中央演算処理装置（ＣＰＵ）とも云う。）と、送信されたコード信号に基づいて安全を喚起させる音声データの合成を行う音声合成手段３５と、前記音声データを発音させるアンプ及びスピーカ等で成る発音手段３６とを備える。なお、電源は市販の単四アルカリ乾電池二本で３Ｖとした。
【００１６】
先ず、作業員は作業を行う前に図１のスイッチ部４を操作してオン状態とする。つまり音声発生装置３の入力手段３１がオンの入力を行い閉回路とし、ＬＥＤ３３を点灯させる。作業員はＬＥＤ３３が点灯しているか否かをＬＥＤ表示部６を見て使用可能かどうか確認する。
【００１７】
前記タイマー装置３２は、予め設定された時間を感知し、その時間信号を制御装置３４へ送信する。設定される時間は例えば３０分毎又は６０分毎である。
【００１８】
前記制御装置３４は、前記時間信号が入力されると、先ず音声合成手段３５を起動状態とする信号を送信し、次いで制御装置３４に格納されたプログラムしたがってコード信号を音声発合成手段３５へ送信する。
【００１９】
前記音声合成手段３５は、パーコール方式にしたがって予め音声のパラメータが格納されており、前記コード信号が入力されると、同上記コード信号に従った音声データの合成が行われる。そして、合成された音声データを複合処理した上で、発音手段３６へ送る。発音手段３６は、アンプ及びスピーカにより音声データを注意を喚起する声として出力（発音）する。
【００２０】
上記プログラムとして入力しておく言葉とすれば、「油断、不注意、横着を無くそう」、「あなたの家族が見ていますよ。安全作業で今日も無事故で帰ってね」、「危険予知をしていますか」、「命綱は使っていますか」、「命は一つしかありませんよ。周りの人と声をかけ合って、今日も一日、安全作業をしよう」等が考えられる。
【００２１】
なお、以上には本考案を図示した実施例に基づいて説明したが、もとより本考案の実施例は図示例の限りではない。本考案の目的および要旨を逸脱することなく、いわゆる当業者が必要に応じて行う設計変更、応用変形として多種多様に実施されるものであることを、ここに念のため申し添える。例えば時間毎に区別されたプログラムに基づいてコード信号を送信させ、音声合成手段３６が、幾つものパラメータを格納しており、前記コード信号に基づいて適切なパラメータを選択させて時間毎に適切な音声を発音させることもできる。
【図面の簡単な説明】
【００２２】
【図１】Ａは本考案の携帯式注意喚起装置の一例を示した平面図である。ＢはＡの正面図である。
【図２】本考案の携帯式注意喚起装置の音声発生回路のブロック図を示した。
【符号の説明】
【００２３】
１            携帯式注意喚起装置
３            音声発生装置
３１          入力手段
３２          タイマー装置
３４          制御装置
３５          音声合成手段
３６          発音手段
【図１】
0003109913.tif 000003
【図２】
0003109913.tif 000004